(57)【要約】【課題】既存の履物に設置及び移動が可能なウェアラブル装置の提供を目的とする。【解決手段】このウェアラブル装置は、充電用の平面コイル５４と充電池３２とを履物１０のインソール部５０、５０’に設ける。このため、電子機器３０がインソール部５０、５０’と別体の場合には、インソール部５０、５０’を移動することで電子機器３０の電源部を既存の履物１０に容易に移設することが可能となる。また、電子機器３０がインソール部５０、５０’に内蔵された構成では、ウェアラブル装置の本体部を既存の履物１０に容易に移設することができる。これにより、使用者側は安価な市販の履物１０を用いることが可能となり経済的な負担を抑えることができる。【選択図】図１
2019063421.tif 000002
【特許請求の範囲】
【請求項１】
着用者の情報を取得する電子機器と、
履物の内側に挿入され足の甲部を覆うアッパー部を備えたインソール部と、
前記インソール部に設けられた平面コイルと、
前記平面コイルにより充電され前記電子機器に電力を供給する充電池と、
給電コイルを備え前記平面コイルとの間の電磁誘導により前記充電池を充電する充電部と、を有し、
前記平面コイルは、少なくとも人の親指の中足骨もしくは楔状骨が位置する部位もしくは人の子指の中足骨が位置する部位に設けられることを特徴とするウェアラブル装置。
【請求項２】
平面コイルが、アッパー部に設けられることを特徴とする請求項１記載のウェアラブル装置。
【請求項３】
平面コイルが、インソール部から前記履物の外面に折り返された帯状部に設けられることを特徴とする請求項１記載のウェアラブル装置。
【請求項４】
アッパー部の甲部側に平面コイルをさらに有することを特徴とする請求項２または請求項３に記載のウェアラブル装置。
【請求項５】
平面コイルに所定の誘起電圧が生じたときに電子機器と充電池との接続を開くとともに、前記平面コイルと前記充電池との接続を閉じる切替部を有することを特徴とする請求項１乃至請求項４のいずれかに記載のウェアラブル装置。
【請求項６】
充電部が、アッパー部に挿入されるシューキーパ部を有するとともに、前記シューキーパ部は平面コイルと略対向する位置に給電コイルを備えることを特徴とする請求項１乃至請求項５のいずれかに記載のウェアラブル装置。
【請求項７】
充電部が、履物の甲部が挿入するホルダ部を有するとともに、前記ホルダ部の内面側には平面コイルと略対向する位置に給電コイルを備えることを特徴とする請求項１乃至請求項５のいずれかに記載のウェアラブル装置。
【請求項８】
一対の充電部が複数配列したことを特徴とする請求項６または請求項７に記載のウェアラブル装置。
【請求項９】
電子機器がインソール部に設けられたことを特徴とする請求項１乃至請求項８のいずれかに記載のウェアラブル装置。
【発明の詳細な説明】
【技術分野】
【０００１】
本発明は、ウェアラブル装置の特に充電機構に関するものである。
【背景技術】
【０００２】
近年の高齢化社会の進行に伴い高齢者の介護や健康管理、安全管理が重要となっている。特に、近年では徘徊中の認知症患者が交通事故や列車事故等により犠牲となる事例もあり、場合によっては家族や介助者の責任が問われる可能性が有る。このため、徘徊症状を有する認知症患者は介助者が常に所在に注意を払う必要があり介護の負担も大きい。この問題点に関し下記［特許文献１］には、ＧＰＳ（Ｇｌｏｂａｌ  Ｐｏｓｉｔｉｏｎｉｎｇ  Ｓｙｓｔｅｍ：全地球測位システム）機能を備えた携帯端末が自身（被介助者）の位置情報を携帯電話回線を用いて送信する位置情報検出装置に関する発明が開示されている。しかしながら、携帯電話回線や商用のデータ通信網を用いた情報送信は消費電力が大きく、頻繁な電池交換や充電作業が必要という問題点がある。
【０００３】
この問題点に対し、本願発明者らは下記［特許文献２］に示す履物及び安全管理システムに関する発明を行った。また、特願２０１６−１４１２３５号に示すような商用の無線データ網と近距離無線モジュールとを併用した位置発信装置及び位置検知システムに関する発明を行った。これら［特許文献２］及び［特願２０１６−１４１２３５号］に記載の発明は、靴底に充電用の平面コイルを有しており、この履物を給電コイルを備えた靴置きに載置することで、平面コイルを介して非接触で充電池への充電を行う。これにより、例えば夜間等の不使用時に履物を靴置きに載置しておくことで、自動的に充電池への充電が行われ、電池交換や充電作業の不備を防止することができる。
【先行技術文献】
【特許文献】
【０００４】
【特許文献１】特開平８−６５４１３号公報
【特許文献２】特開２０１７−１２５７３号公報
【発明の概要】
【発明が解決しようとする課題】
【０００５】
しかしながら、［特許文献２］及び［特願２０１６−１４１２３５号］に記載の発明のように靴底に平面コイルを設置した場合、充電回路全体の寿命が靴底の摩耗度に依存するという問題点がある。また、靴底に水滴やゴミ等が付着した場合に充電特性に変化が生じるという問題点がある。さらに、履物側が汚損した場合、使用者側は充電回路を備えた履物全体を再度購入する必要があり経済的負担が大きいという問題点がある。また、製造者側はサイズ、デザイン、色等が異なるある程度の製品ラインナップを揃える必要があり、製造コストが増大するという問題点がある。
【０００６】
本発明は上記事情に鑑みてなされたものであり、既存の履物に設置及び移動が可能なウェアラブル装置の提供を目的とする。
【課題を解決するための手段】
【０００７】
本発明は、
（１）着用者の情報を取得する電子機器３０と、履物１０の内側に挿入され足の甲部を覆うアッパー部５２を備えたインソール部５０、５０’と、前記インソール部５０、５０’に設けられた平面コイル５４と、前記平面コイル５４により充電され前記電子機器３０に電力を供給する充電池３２と、給電コイル７４を備え前記平面コイル５４との間の電磁誘導により前記充電池３２を充電する充電部７０ａ、７０ｂと、を有し、
前記平面コイル５４は、少なくとも人の親指の中足骨もしくは楔状骨が位置する部位もしくは人の子指の中足骨が位置する部位に設けられることを特徴とするウェアラブル装置を提供することにより、上記課題を解決する。
（２）平面コイル５４が、アッパー部５２に設けられることを特徴とする上記（１）記載のウェアラブル装置を提供することにより、上記課題を解決する。
（３）平面コイル５４が、インソール部５０’から前記履物１０の外面に折り返された帯状部５３に設けられることを特徴とする上記（１）記載のウェアラブル装置を提供することにより、上記課題を解決する。
（４）アッパー部５２の甲部側に平面コイル５４をさらに有することを特徴とする上記（２）または上記（３）に記載のウェアラブル装置を提供することにより、上記課題を解決する。
（５）平面コイル５４に所定の誘起電圧が生じたときに電子機器３０と充電池３２との接続を開くとともに、前記平面コイル５４と前記充電池３２との接続を閉じる切替部５６ｂを有することを特徴とする上記（１）乃至上記（４）のいずれかに記載のウェアラブル装置を提供することにより、上記課題を解決する。
（６）充電部７０ａが、アッパー部５２に挿入されるシューキーパ部７２を有するとともに、前記シューキーパ部７２は平面コイル５４と略対向する位置に給電コイル７４を備えることを特徴とする上記（１）乃至上記（５）のいずれかに記載のウェアラブル装置を提供することにより、上記課題を解決する。
（７）充電部７０ｂが、履物１０の甲部が挿入するホルダ部７３を有するとともに、前記ホルダ部７３の内面側には平面コイル５４と略対向する位置に給電コイル７４を備えることを特徴とする上記（１）乃至上記（５）のいずれかに記載のウェアラブル装置を提供することにより、上記課題を解決する。
（８）一対の充電部７０ａ、７０ｂが複数配列したことを特徴とする上記（６）または上記（７）に記載のウェアラブル装置を提供することにより、上記課題を解決する。
（９）電子機器３０がインソール部５０、５０’に設けられたことを特徴とする上記（１）乃至上記（８）のいずれかに記載のウェアラブル装置を提供することにより、上記課題を解決する。
【発明の効果】
【０００８】
本発明に係るウェアラブル装置は、少なくとも充電用の平面コイルと充電池とを履物のインソール部に設ける。このため、インソール部を移動することで、既存の履物に容易に充電用の平面コイルと充電池とを移設することが可能となる。これにより、使用者側は安価な市販の履物を用いることが可能となり経済的な負担を抑えることができる。また、製造者側はインソール部のみを製造すればよいため、製造コストの低減を図ることができる。
【図面の簡単な説明】
【０００９】
【図１】本発明に係るウェアラブル装置の第１の形態のインソール部を説明する図である。
【図２】本発明に係るウェアラブル装置の第２の形態のインソール部を説明する図である。
【図３】電子機器を内蔵したインソール部を説明する図である。
【図４】平面コイル及び電子機器の設置位置を説明する図である。
【図５】本発明に係るウェアラブル装置の回路部の一例を示すブロック図である。
【図６】本発明に係るウェアラブル装置の第１の形態の充電部を示す図である。
【図７】本発明に係るウェアラブル装置の第２の形態の充電部を示す図である。
【発明を実施するための形態】
【００１０】
本発明に係るウェアラブル装置の実施の形態について図面に基づいて説明する。ここで、図１（ａ）は本発明に係るウェアラブル装置の第１の形態のインソール部５０の上面図であり、図１（ｂ）は側面図である。また、図１（ｃ）は第１の形態のインソール部５０を履物１０に挿入した状態を示す図である。また、図２（ａ）は本発明に係るウェアラブル装置の第２の形態のインソール部５０’の上面図であり、図２（ｂ）は側面図である。
【００１１】
先ず、本発明に係るウェアラブル装置は、図１（ｃ）に示すように、例えばユーザの履物１０等に設置され着用者の情報（位置情報、歩行情報、生体情報等）を取得する電子機器３０と、履物１０の内側に挿入されるインソール部５０、５０’と、外部に設置される後述の充電部（第１の形態の充電部７０ａ、第２の形態の充電部７０ｂ）と、で主に構成される。尚、電子機器３０は、図１（ｃ）に示すようにインソール部５０、５０’と別体としても良いし、図３（ａ）、（ｂ）に示すようにインソール部５０、５０’内に設けても良い。尚、このときの電子機器３０の設置場所は使用時（歩行時）の衝撃及び荷重が比較的小さい土踏まず部分に設けることが好ましい。
【００１２】
また、インソール部５０、５０’はユーザの足の甲部を覆うアッパー部５２を備えており、第１の形態のインソール部５０では、このアッパー部５２の表面側に平面コイル５４が設置される。また、第２の形態のインソール部５０’では、アッパー部５２等から延びて履物１０の外面に折り返される帯状部５３が設けられ、この帯状部５３に平面コイル５４が設置される。
【００１３】
インソール部５０、５０’に設置する平面コイル５４には特に限定は無く周知の平面コイルを用いることができる。ただし、平面コイル５４の大きさは小型のものが好ましく、外径が１５ｍｍ〜２０ｍｍ程度の円形のものを用いることが好ましい。また、平面コイル５４の設置位置は、歩行時に変形が少ない部位に設けることが好ましい。ここで、人間が歩行する際の蹴り出し時には、図４（ａ）の足の骨格図に示す指節骨と中足骨との間の関節が屈曲し、履物１０においてはこの部分が最も変形する部位となる。これに対し、中足骨の中央部分から基側（足首側）及び楔状骨の部分は比較的変形が少ない。従って、平面コイル５４の好ましい設置位置としては、平均的な人間が履物１０（インソール部５０、５０’）を適正に着用した時に、人の足の親指の中足骨の中央部分から基側もしくは楔状骨が位置する部位が挙げられる。また、人の足の子指の中足骨の中央部分から基側の位置する部位が挙げられる。さらに、足の甲部（人差指〜薬指の中足骨の中央部分から基側もしくは楔状骨の位置する部位）が挙げられる。よって、第１の形態のインソール部５０では平面コイル５４を図１（ａ）に示すようにアッパー部５２のこれらの部位に設置することが好ましい。また、第２の形態のインソール部５０’では帯状部５３を履物１０の外面に折り返した時に、平面コイル５４がこれらの部位に位置するよう設置することが好ましい。尚、第２の形態のインソール部５０’では帯状部５３を介して平面コイル５４を設置するため、歩行時の履物１０の変形が直接的に影響せず、平面コイル５４の変形をより一層抑制することができる。
【００１４】
また、老人介護施設等で一般的に使用されている履物１０としては、図４（ｂ）に示すように、面ファスナによって着用者の足首を締着するベルト部１０ａを備えたものが多い。そして、このような履物１０においてベルト部１０ａの付け根部分と面ファスナの固定部分は肉厚で上記の変形の少ない部分の中でも特に変形が少ない部位となっている。よって、平面コイル５４の設置位置としてはこの部位が最も好ましい。尚、平面コイル５４の個数は１つでも良いし、上記の３箇所のうちの２箇所に設けても良い。また、本例で図示するように全ての箇所に設けても良い。また、平面コイル５４の設置方法に関しても特に限定は無く、アッパー部５２、帯状部５３の表層側に埋設しても良いし、表面に縫い付けても良い、また表面に薄層のポケットを設けその中に設置するようにしても良い。
【００１５】
そして、平面コイル５４からのケーブルはインソール部５０、５０’内を通って回路部５６と接続する。また、回路部５６には充電が可能なリチウムイオン電池等の周知の充電池３２が接続する。尚、充電池３２及び回路部５６も使用時（歩行時）の衝撃及び荷重が比較的小さいインソール部５０の土踏まず部分に設置することが好ましい。
【００１６】
ここで、回路部５６の一例を図５のブロック図に示す。先ず、回路部５６には前述のように平面コイル５４からのケーブルと充電池３２とが接続する。また、充電池３２からの電力を電子機器３０に出力する出力ライン５８が接続する。そして、回路部５６は平面コイル５４からの交流電流を整流、平滑して直流電流とし充電池３２側に出力する充電ユニット５６ａと、平面コイル５４に所定の誘起電圧が生じたときに充電池３２の接続を切り替える切替部５６ｂと、を有している。尚、充電ユニット５６ａとしては周知の充電回路を用いることができる。また、切替部５６ｂは平面コイル５４の誘起電圧を直接もしくは充電ユニット５６ａ等から間接的に検知して充電池３２の接続を切り替える周知のスイッチング回路を用いることができる。
【００１７】
また、平面コイル５４を複数有する構成では、回路部５６の図示しない制御部が充電動作時に各平面コイル５４に生じる誘起電圧を検知して、誘起電圧の高い平面コイル５４を優先的に充電に用いるようにしても良い。また、制御部が充電池３２の充電残量を検知して、その充電残量に応じて使用する平面コイル５４の個数を変化させるようにしても良い。
【００１８】
次に、本発明を構成する充電部（第１の形態の充電部７０ａ、第２の形態の充電部７０ｂ）の構成を説明する。尚、ここで示す第１の形態の充電部７０ａ、第２の形態の充電部７０ｂは本発明に好適なものであるが、特にこれに限定されるものではなく、平面コイル５４を介して非接触で充電を行う事が可能であれば如何なる形状でも良い。また、第１の形態の充電部７０ａ、第２の形態の充電部７０ｂはどちらのインソール部５０、５０’に対しても充電が可能である。
【００１９】
先ず、第１の形態、第２の形態の充電部７０ａ、７０ｂは共通する構成として、平面コイル５４を介した電磁誘導により充電池３２を充電する給電コイル７４と、商用電源等からの電力を所定の高周波電圧にして給電コイル７４に供給する電源部７８と、給電コイル７４の動作を制御する充電制御部７６と、を有している。
【００２０】
そして、第１の形態の充電部７０ａは、図６に示すように、履物１０ごとインソール部５０、５０’のアッパー部５２に挿入して保持するシューキーパ部７２を有し、このシューキーパ部７２の表面側の所定の位置に給電コイル７４が固定される。また、第２の形態の充電部７０ｂは、図７に示すように、インソール部５０、５０’が挿入した履物１０の甲部が挿入するホルダ部７３を有し、このホルダ部７３の内面側の所定の位置に給電コイル７４が固定される。そして、これらの給電コイル７４を設置する所定の位置とは、履物１０をシューキーパ部７２もしくはホルダ部７３の適正な位置に挿入した時に、給電コイル７４がインソール部５０、５０’側の平面コイル５４と略対向する位置である。即ち、平面コイル５４が人の親指の中足骨もしくは楔状骨が位置する部位に存在する場合には、この位置と略対向する位置のシューキーパ部７２の表面側、もしくはホルダ部７３の内面側に給電コイル７４が設けられ、平面コイル５４が人の子指の中足骨が位置する部位に存在する場合には、この位置と略対向する位置のシューキーパ部７２の表面側、もしくはホルダ部７３の内面側に給電コイル７４が設けられる。さらに、平面コイル５４がアッパー部５２の甲部側に存在する場合には、この位置と略対向する位置のシューキーパ部７２の表面側、もしくはホルダ部７３の内面側に給電コイル７４が設けられる。
【００２１】
尚、第１の形態の充電部７０ａは横置き型としても良いが、図６に示すように、シューキーパ部７２の先側を上方に向け２つを一対とした上で、縦方向、横方向、縦横方向等に複数配列して縦置き型のシューズラックとして構成することが好ましい。また、第２の形態の充電部７０ｂは横置き型として靴箱や靴置きに設置することが好ましいが、ホルダ部７３の先側を下方に向け２つを一対とした上で、縦方向、横方向、縦横方向に複数配列して縦置き型のシューズラックとして構成しても良い。
【００２２】
次に、履物１０やインソール部５０、５０’に設置する電子機器３０の例を説明する。尚、以下に示す電子機器３０は一例であり、これに限定されるものではなく、着用者の位置情報を取得し記録もしくは送信する機器、反力センサや加速度計、ジャイロ等の周知のセンサによって着用者の歩数や歩行距離、疲労度、ふらつき状態等の歩行情報を取得し記録もしくは送信する機器、体温計や発汗計、脈拍計等の着用者の生体情報を取得し記録もしくは送信する機器等、如何なるものでも良い。また、電子機器３０がインソール部５０と別体の場合には、電子機器３０もインソール部５０と同様に履物１０に対し着脱可能なものを用いることが好ましい。尚、電子機器３０の履物１０等への固定位置には特に限定は無いが、履物１０にベルト部１０ａが存在する場合には、図４（ｂ）に示すように、このベルト部１０ａに設けることが好ましい。
【００２３】
次に、電子機器３０の一例の動作を簡単に説明する。ここに例示する電子機器３０は、例えば認知症患者等の着用者の履物１０に設置して、近くにいる介助者が携帯する受信装置（スマートフォン等の携帯端末）に着用者の位置情報を送信するものであり、例えばＧＰＳ衛星からの信号を受信して自身の位置情報を取得する位置情報取得部と、商用の無線データ通信網を使用して情報の送受信を行う遠距離通信部と、Ｚｉｇｂｅｅ（登録商標）やＢｌｕｅｔｏｏｔｈ（登録商標）、ＢＬＥ（Ｂｌｕｅｔｏｏｔｈ（登録商標）  Ｌｏｗ  Ｅｎｅｒｇｙ）等の近距離無線システムを使用して情報の送受信を行う近距離通信部と、を有している。そして、通常時においては消費電力の少ない近距離通信部を用いて位置情報の送信を一定間隔で行う。また、例えば着用者が介助者から離れるなどして近距離無線の圏外に移動し、受信装置が位置情報を受信することができない場合、受信装置は介助者に対し警告を行う。介助者は受信装置からの警告を受けて、受信した最後の位置情報を基に着用者を捜索する。そして、介助者が電子機器３０の近距離無線の圏内に入ると、受信装置は電子機器３０からの位置情報を受信して着用者の位置を特定し、これにより介助者は着用者を保護することができる。また、着用者の捜索が難航した場合、介助者は受信装置を操作して商用の無線データ通信網を用いた位置情報送信要求を電子機器３０に送信する。電子機器３０はこの位置情報送信要求を受けて、遠距離通信部を用いた商用の無線データ通信網による位置情報の送信を行う。これにより、介助者の受信装置は電子機器３０からの位置情報を受信して着用者の位置を特定し、これにより介助者は着用者を保護することができる。このように、この電子機器３０は受信装置からの位置情報送信要求を受信したときのみ、消費電力の大きい商用の無線データ通信網を用いた位置情報の送信を行う。このため、電力消費量が少なく長時間の使用が可能となる。
【００２４】
次に、本発明に係るウェアラブル装置の動作及び使用方法を説明する。先ず、インソール部５０、５０’を履物１０の内部に挿入する。このとき、第２の形態のインソール部５０’では帯状部５３を履物１０の外面に折り返す。また、電子機器３０が別体の場合には、インソール部５０、５０’から延びた出力ライン５８と電子機器３０とを接続する。
【００２５】
次に、インソール部５０、５０’が挿入された履物１０を、第１の形態の充電部７０ａのシューキーパ部７２に挿入する。もしくは、第２の形態の充電部７０ｂのホルダ部７３内に挿入する。尚、この際、インソール部５０’では図２（ｃ）に示すように、外面に折り返した帯状部５３が捲れないように保持する周知のベルト部材１１を巻き付けるようにしても良い。これにより、インソール部５０、５０’の平面コイル５４と充電部７０ａ、７０ｂの給電コイル７４とが略対向する。そして、充電部７０ａ、７０ｂの電源部４８は商用電源を例えば１００ｋＨｚの所定の高周波電圧とした後、充電制御部７６を介して給電コイル７４に印加する。これにより、給電コイル７４からは高周波電圧の方向に準じた磁界が交互に発生する。そして、給電コイル７４と対向した平面コイル５４には、この給電コイル７４の電磁誘導によって誘起電圧が生じ誘起電流が流下する。
【００２６】
平面コイル５４に誘起電圧が生じると切替部５６ｂはこれを検知して、充電池３２と出力ライン５８との接続を開き電子機器３０への電力供給を停止するとともに、充電池３２と充電ユニット５６ａとの接続を閉じる。これにより、平面コイル５４で生じた誘起電流は充電ユニット５６ａによって整流、平滑されて例えば４．５Ｖの所定の直流電力となり充電池３２に出力される。これにより、充電池３２に対する充電が行われる。このとき充電制御部７６は充電インジケータを点灯させるなどして履物１０（インソール部５０、５０’）が充電中であることを報知するようにしても良い。また、充電池３２への充電が完了すると、充電インジケータの色もしくは発光動作を変化させて履物１０（インソール部５０、５０’）の充電完了を報知するようにしても良い。
【００２７】
次に、履物１０を充電部７０ａ、７０ｂから抜き取り使用者の足に装着する。このとき、切替部５６ｂは平面コイル５４の誘起電圧が消えたことを検知して、充電池３２と充電ユニット５６ａとの接続を開くとともに、充電池３２と出力ライン５８との接続を閉じる。これにより、電子機器３０には充電池３２からの電力が供給され所定の動作を行う。
【００２８】
次に、着用者が履物１０を履いて活動する。このとき、平面コイル５４は前述のように比較的変形の少ない部位に設置されているため、使用時の変形はほとんど影響しない。また、充電池３２と回路部５６（及び電子機器３０）はインソール部５０、５０’の土踏まず部分に設置されているため、使用時の衝撃や荷重の影響を低く抑えることができる。
【００２９】
また、履物１０を汚損等で交換する場合、インソール部５０、５０’を古い履物１０から抜き出して新しい履物１０に装着する。これにより、電子機器３０がインソール部５０、５０’と別体の場合には、既存の履物１０に電子機器３０の電源部（充電池３２及び回路部５６）を容易に移設することができる。また、電子機器３０がインソール部５０、５０’に内蔵された構成では、ウェアラブル装置の本体部を既存の履物１０に容易に移設することができる。
【００３０】
以上のように、本発明に係るウェアラブル装置は、充電用の平面コイル５４と充電池３２とを履物１０のインソール部５０、５０’に設ける。このため、電子機器３０がインソール部５０、５０’と別体の場合には、インソール部５０、５０’を移動することで電子機器３０の電源部を既存の履物１０に容易に移設することが可能となる。また、電子機器３０がインソール部５０、５０’に内蔵された構成では、ウェアラブル装置の本体部を既存の履物１０に容易に移設することができる。これにより、使用者側は安価な市販の履物１０を用いることが可能となり経済的な負担を抑えることができる。また、製造者側はインソール部５０、５０’のみを製造すればよいため、履物１０の製品ラインナップを揃える必要が無く、製造コストの低減を図ることができる。さらに、電子機器３０がインソール部５０、５０’と別体の構成では、使用者が装着する様々な電子機器３０の電源としてインソール部５０、５０’を用いることができる。
【００３１】
また、インソール部５０、５０’は足の指先から甲部を覆うアッパー部５２を備え、第１の形態のインソール部５０では、このアッパー部５２の表面側に平面コイル５４を設ける。また、第２の形態のインソール部５０’では帯状部５３を設け、この帯状部５３に平面コイル５４を設ける。そして、平面コイル５４は歩行時等に変形の少ない部位に設けるため、使用時における平面コイル５４への変形はほとんど生じない。そして、この平面コイル５４を介した充電は、アッパー部５２に挿入されるシューキーパ部７２もしくはアッパー部５２が挿入するホルダ部７３を介して行われる。ここで、平面コイル５４をインソール部の底面に設けた場合、履物１０のアウターソールが肉厚で平面コイル５４と給電コイル７４とを近接配置することができず、充電の効率が悪い。しかしながら、平面コイル５４をインソール部５０、５０’のアッパー部５２もしくは帯状部５３に設けることで、シューキーパ部７２もしくはホルダ部７３に設けられた給電コイル７４を平面コイル５４に近接配置することができ、これにより十分な効率で充電池３２への充電を行うことができる。
【００３２】
尚、本例で示したウェアラブル装置の平面コイル５４、インソール部５０、５０’、回路部５６、第１の形態の充電部７０ａ、第２の形態の充電部７０ｂ、電子機器３０等の各部の構成、寸法、デザイン、配置、動作機構等は一例であり、本発明は本発明の要旨を逸脱しない範囲で変更して実施することが可能である。
【符号の説明】
【００３３】
１０    履物
３０    電子機器
３２    充電池
５０、５０’  インソール部
５２    アッパー部
５３    帯状部
５６ｂ  切替部
５４    平面コイル
７０ａ  第１の形態の充電部
７０ｂ  第２の形態の充電部
７２    シューキーパ部
７３    ホルダ部
７４    給電コイル
【図１】
2019063421.tif 000003
【図２】
2019063421.tif 000004
【図３】
2019063421.tif 000005
【図４】
2019063421.tif 000006
【図５】
2019063421.tif 000007
【図６】
2019063421.tif 000008
【図７】
2019063421.tif 000009